(57)【要約】【課題】あらかじめ設定しておいた条に従って自動的に警告番組を選定し、且つ利用者が不適切な状態であることを検出することにより警告を与えることができる映像表示装置を提供する。【解決手段】マイコン１４は、メモリ２２に記憶した警告映像特定条件に基づいて、視聴番組が警告対象の番組か否かを確認する。警告番組であれば、マイコン１４は、光センサ１８の検出値から部屋の明るさを求めて、メモリ２２に記憶されている警告状態条件とセンサ１７，１８の情報から視聴者が適切な状態で視聴しているか判定する。不適切な状態が所定時間続くと、液晶表示パネル１１に警告表示を行う。警告の履歴をメモリ２２に保存する。【選択図】図１
2007281656.tif 000002
【特許請求の範囲】
【請求項１】
利用者が不適切な状態で映像を見ている場合に警告を与える映像表示装置において、
映像を表示する表示手段と、
前記警告を必要とする映像を特定するための警告映像特定条件と、不適切な状態を検知するための警告状態条件と、不適切な状態を検知してから警告するまでの警告時間とを記憶する記憶手段と、
前記状態を検知する検知手段と、
前記警告映像特定条件に基づいて、前記表示手段に表示される映像が警告の対象映像であると特定する警告映像特定手段と、
前記警告映像特定手段に警告対象映像と特定され、前記警告時間まで前記検知手段の検知結果が警告状態条件を満し続けた場合に、利用者に警告を行う制御手段と、
を備えることを特徴とする映像表示装置。
【請求項２】
前記警告映像特定条件は、警告が必要な番組名あるいは番組カテゴリであり、
前記制御手段は、前記警告映像特定条件に基づいて、電子番組表から文字認識により特定することを特徴とする請求項１に記載の映像表示装置。
【請求項３】
利用者が不適切な状態で映像を見ている場合に警告を与える警告処理を行う映像表示装置において、
映像を表示する表示手段と、
前記表示手段に表示されている映像内の警告表示を認識するための警告認識情報と、不適切な状態を検知するための警告状態条件と、不適切な状態を検知してから警告するまでの警告時間とを記憶する記憶手段と、
前記状態を検知する検知手段と、
前記警告認識情報に基づいて、前記表示手段に表示される映像内の警告内容を認識する警告認識手段と、
前記警告認識手段によって映像内に警告表示が認識され、前記警告時間まで前記検知手段の検知結果が警告状態条件を満し続けた場合に、利用者に警告を行う制御手段と、
を備えることを特徴とする映像表示装置。
【請求項４】
前記警告認識情報は、映像内の警告を示す文字情報であり、
前記制御手段は、前記警告認識情報に基づいて、映像内の警告表示を文字認識により認識することを特徴とする請求項３に記載の映像表示装置。
【請求項５】
前記警告状態条件は、前記表示手段と利用者の距離であり、
前記検知手段は距離センサであることを特徴とする請求項１乃至４のいずれかに記載の映像表示装置。
【請求項６】
前記警告状態条件は、装置周囲の明るさであり、
前記検知手段は光センサであることを特徴とする請求項１乃至５のいずれかに記載の映像表示装置。
【請求項７】
前記制御手段は、前記表示手段に警告表示をすることを特徴とする請求項１乃至６のいずれかに記載の映像表示装置。
【請求項８】
音声により警告を行う発音手段をさらに備え、
前記制御手段は、前記発音手段により警告をすることを特徴とする請求項１乃至７のいずれかに記載の映像表示装置。
【請求項９】
前記制御手段は、警告を行った後、所定時間が経過しても状態が改善されなければ、警告表示を目立たせる処理を行うことを特徴とする請求項８に記載の映像表示装置。
【請求項１０】
前記制御手段は、警告を行った後、所定時間が経過しても状態が改善されなければ、表示されている映像を小さくすることを特徴とする請求項１乃至９のいずれかに記載の映像表示装置。
【請求項１１】
前記制御手段は、警告を行った後、所定時間が経過しても状態が改善されなければ、前記表示手段の表示を停止することを特徴とする請求項１乃至１０に記載の映像表示装置。
【請求項１２】
前記制御手段は、前記記憶手段に、警告の履歴を記憶させることを特徴とする請求項１乃至１１のいずれかに記載の映像表示装置。
【請求項１３】
前記制御手段は、あらかじめ登録していたパスワードと一致するパスワードが入力された場合に、前記記憶手段に記憶されている警告に関するデータを消去や変更を許可することを特徴とする請求項１乃至１２のいずれかに記載の映像表示装置。
【発明の詳細な説明】
【技術分野】
【０００１】
本発明は、テレビジョン受信機等の映像表示装置に関するものであり、特に、テレビジョン受像機に近い位置や暗い場所での視聴のように、目に負担がかかる状態での視聴を制限するための映像表示装置である。
【背景技術】
【０００２】
近年、テレビジョン受像機やコンピュータ等の表示画面に近い位置で視聴したり、暗い環境で視聴していたりすると、目に負担がかかる。そこで、テレビの視聴において、悪環境状態(目に負担がかかる状態)を察知し、警告を発する技術が開示されている。
【０００３】
例えば、特許文献１には、テレビジョン受像機を視聴する場合、赤外線センサにより人の位置を検出し、また光センサから部屋の明るさを検出することで、テレビが視聴条件を守らない時は視聴を制限する機能を持つテレビジョン受像機が記載されている。
【０００４】
また、特許文献２には、人体の頭部にレーザダイオードをその光軸がほぼ画面に平行方向になるように取り付け、ディスプレイ画面の前方には適正距離をもってホトセンサー列を設置し、ダイオードから発信される画面に向ってほぼ平行方向の信号をホトセンサー列が捉えた際に警告を発するようにしたものが記載されている。
【特許文献１】特開２００４−１２００４９号公報
【特許文献２】特開平１０−３０７５６９号公報
【発明の開示】
【発明が解決しようとする課題】
【０００５】
しかし、特許文献１の場合、警告モードがＯＮになっているといかなる番組に対しても有効になってしまう。また、映画を視聴するために部屋を暗くするときや、ビデオのセッティング時にテレビの視聴目的以外で近づいたときなどの警告する必要がない場合でもユーザに警告を与えてしまう。警告をＯＦＦにする方法でこれらの問題を回避することもできるが、わざわざそのたびにモードを切り替えるには手間がかかり、モードの切り替えを繰り返していくうちにＯＮに設定しているつもりが誤ってＯＦＦに設定されているといった勘違いが生じる場合もあり得る。
【０００６】
また、特許文献２の場合のように、１人１人の頭部にレーザダイオードを装着するには手間がかかるとともに、装着するための部品も必要となり、価格も高くなってしまう。
【０００７】
本発明は、斯かる実情に鑑み、あらかじめ設定しておいた条に従って自動的に警告番組を選定し、且つ利用者が不適切な状態であることを検出することにより警告を与えることができる映像表示装置を提供することを目的とする。
【課題を解決するための手段】
【０００８】
本発明は、利用者が不適切な状態で映像を見ている場合に警告を与える映像表示装置において、
映像を表示する表示手段と、前記警告を必要とする映像を特定するための警告映像特定条件と、不適切な状態を検知するための警告状態条件と、不適切な状態を検知してから警告するまでの警告時間とを記憶する記憶手段と、前記状態を検知する検知手段と、前記警告映像特定条件に基づいて、前記表示手段に表示される映像が警告の対象映像であると特定する警告映像特定手段と、前記警告映像特定手段に警告対象映像と特定され、前記警告時間まで前記検知手段の検知結果が警告状態条件を満し続けた場合に、利用者に警告を行う制御手段を備えることを特徴とするものである。
【０００９】
ここで、前記警告映像特定条件は、警告が必要な番組名あるいは番組カテゴリであり、前記制御手段は、前記警告映像特定条件に基づいて、電子番組表から文字認識により特定することを特徴とする。
【００１０】
また、本発明は、利用者が不適切な状態で映像を見ている場合に警告を与える警告処理を行う映像表示装置において、
映像を表示する表示手段と、前記表示手段に表示されている映像内の警告表示を認識するための警告認識情報と、不適切な状態を検知するための警告状態条件と、不適切な状態を検知してから警告するまでの警告時間とを記憶する記憶手段と、前記状態を検知する検知手段と、前記警告認識情報に基づいて、前記表示手段に表示される映像内の警告内容を認識する警告認識手段と、前記警告認識手段によって映像内に警告表示が認識され、前記警告時間まで前記検知手段の検知結果が警告状態条件を満し続けた場合に、利用者に警告を行う制御手段を備えることを特徴とするものである。
【００１１】
ここで、前記警告認識情報は、映像内の警告を示す文字情報であり、前記制御手段は、前記警告認識情報に基づいて、映像内の警告表示を文字認識により認識することを特徴とする。
【００１２】
また、前記警告状態条件は前記表示手段と利用者の距離であり、前記検知手段は距離センサであってもよいし、前記警告状態条件は装置周囲の明るさであり、前記検知手段は光センサであってもよい。
【００１３】
また、前記制御手段は、前記表示手段に警告表示をしてもよいし、音声により警告を行う発音手段をさらに備えて、該発音手段により警告をしてもよい。
【００１４】
また、前記制御手段は、警告を行った後、所定時間が経過しても状態が改善されなければ、警告表示を目立たせる処理を行ったり、表示されている映像を小さくしたり、さらには前記表示手段の表示を停止したりすることを特徴とする。
【００１５】
また、前記制御手段は、前記記憶手段に警告の履歴を記憶させることを特徴とする。
【００１６】
また、前記制御手段は、あらかじめ登録していたパスワードと一致するパスワードが入力された場合に、前記記憶手段に記憶されている警告に関するデータを消去や変更を許可することを特徴とする。
【発明の効果】
【００１７】
本発明によれば、警告指定番組や警告文字が組み込まれた映像の場合に警告が発動することで適切な状態（例えば、表示手段と視聴者の距離や映像表示装置周囲の明るさが適切な状態）で視聴を確保でき、警告対象外の番組や警告が組み込まれていない映像では警告に制限されることなく自由な視聴が楽しめることになる。また、設定した警告時間の間、不適切な状態が継続しない限り警告が行われないので、映像表示装置への人の接近が瞬間的又は短時間の時や、一時的に部屋を暗くした場合にも警告が行われず、自由な視聴が楽しめることになる。
【００１８】
本発明によれば、文字認識技術によるテレビ映像内の警告表示を認識したり、また電子番組表内の番組や番組内容からあらかじめ設定しておいたキーワードを認識したりすることで、警告を必要とする番組とそうでない番組や、映像に組み込んだ警告文字を自動判別し、すべての番組を警告できないようにすることが可能となる。
【００１９】
また、本発明は、警告を表示や音声で行うことにより、視聴者の注意を引くことができる。
【００２０】
本発明によれば、警告指定番組にパスワードをつけることで指定した以外の人（子供など）が警告を解除できないようにできる。
【００２１】
また、警告しても状態改善がされなければ、警告を目立たせるために警告表示の絵やアイコンを明るくしたり、大きくしたり、また映像を小さくしたりして、字が読めない幼児に対しても警告に注意を喚起できる。
【００２２】
また、本発明は、警告の履歴を残すことで親が家を留守している時といったテレビを管理できない場合においてもその子供が正しい視聴状態であったかを知ることができる。
【発明を実施するための最良の形態】
【００２３】
以下、本発明の実施の形態を添付図面を参照して説明する。
【００２４】
図１は、本発明に係る表示装置である液晶テレビジョン受信機の一実施形態を示すブロック図である。
１はアンテナより受信されたテレビ放送波（ＲＦ信号）から指定チャンネルのビデオ信号を出力するチューナ、および外部入力端子より入力された映像・音声信号を選択するＡＶ−ＳＷ（スイッチ）である。２は符号化された信号を、元の音声信号、映像信号に復号するデコーダ、３はデコーダ２で選択された音声信号に対して各種音声処理を行うための音声信号処理部、４は音声信号処理部３にて処理した音声信号をスピーカにて音を発生するための音声アンプ、５はスピーカである。
【００２５】
６はデコーダ２の映像信号から文字認識をしたり、電子番組データを抽出する処理部分である文字認識／電子番組表処理部、７はデコーダ２で選択された映像信号に対して各種映像処理を行うための映像処理部、８は映像信号を液晶ドライバにて表示処理できるよう変換したり、液晶用各種コントロール信号を処理する液晶コントローラ、９は液晶コントローラ８から送られてくる信号を表示させるための処理を行う液晶ドライバ、１０は各種情報をオンスクリーン表示するためのＯＳＤ処理部、１１は映像を表示する液晶表示パネルである。
【００２６】
１２は各種命令を指示入力するためのリモコン、１３はリモコン１２から射出された赤外線信号を受光するためのリモコン受光部、１４は各部の制御を行うマイコンである。１５はバックライト光源の消灯／点灯を駆動制御するための光源駆動部、１６は液晶表示パネル１１の裏面に配置された直下型のバックライト光源である。尚、バックライト光源１６は、直下型蛍光灯ランプ（ＣＣＦＴ）の他、直下型又はサイド照射型のＬＥＤ光源など種々の光源を用いることが可能であり、各ランプ・ＬＥＤを独立して点灯・消灯可能できる。
【００２７】
１７は液晶表示パネル１１から視聴者までの距離を測定する距離センサ、１８は周辺の明るさを測定する光センサ、１９は冷却ファンおよびファン駆動部である。２０は電源部のオン／オフを駆動制御するための電源駆動部、２１は電源部、２２は各条件やデータ等を記憶しておくメモリである。マイコン１４は、リモコン受光部１３で受光したリモコン信号に基づいて、各構成部品の動作制御を行ったり、ＯＳＤ（On Screen Display）表示内容、表示場所、冷却ファン等の制御を行う。
【００２８】
尚、本実施形態においては、指示入力手段として、リモコン１２を用いているが、装置本体に設けた操作部（図示せず）により、各種命令を指示入力するようにしても良いことは言うまでもない。
【００２９】
次に、この液晶テレビジョン受信機の警告処理について説明する。
この液晶テレビジョン受像機は、警告する必要のある映像を特定したり、映像に表示される警告内容によって警告処理を行うものであり、以下にその実施形態を具体的に説明する。この実施形態では、ユーザである親が、子供の目に対する負担を減らすために、子供がよく見るアニメを警告対象の番組に設定する。そして、子供が液晶テレビジョン受像機で警告対象映像を視聴すると、液晶テレビジョン受像機までの距離や部屋の明るさが不適切な場合に警告を行うものである。
【００３０】
＜第１実施形態＞
図２及び図３は液晶テレビジョン受信機の第１実施形態の警告処理手順を示すフローチャートである。図４は、液晶テレビジョン受信機の第１実施形態の警告映像を特定する処理を示す説明図である。図５は、第１実施形態の警告処理の画面を示す説明図である。
【００３１】
第１実施形態では、ユーザが警告を必要とする映像や番組を特定する警告映像特定条件と警告を与えるための不適切な状態を検知するための警告状態条件とを入力設定して、液晶テレビジョン受像機に自動で警告処理を行わせる。
【００３２】
まず、ユーザ（親）はリモコン１２を利用して、警告映像特定条件と警告状態条件を入力する（ステップＳ１）。例えば、図４に示すように、警告映像特定条件である警告対象とする番組のカテゴリ、不適切な状態を検知するための警告状態条件である部屋の明るさと液晶テレビジョン受信機から視聴者までの距離、不適切な状態を検知してから警告するまでの第１回目の警告時間である第１警告時間と第２回目の警告時間である第２警告時間とを設定する。例えば、リモコン１２に警告条件設定キーが設けられており、ユーザがそれを押すと、マイコン１４はリモコン受光部１３を介して信号を受け取る。そしてメモリ２２から警告条件設定画面のデータを読み出し、ＯＳＤ処理部１０にＯＳＤ画像を生成させ、液晶コントローラ８と液晶ドライバ９を介して、液晶表示パネル１１の画面上に警告条件設定画面３１が表示される。ユーザはリモコン１２を用いて警告条件設定画面３１で条件を入力すると、マイコン１４は、警告映像特定条件と警告状態条件と警告時間を一旦メモリ２２に格納する。
【００３３】
図４の警告条件設定画面３１では、次のように設定されている。
・警告番組カテゴリ：アニメ
・部屋の明るさ：＋２
・距離：５ｍ
・第１警告時間：１０秒
・第２警告時間：１分
【００３４】
ここで、部屋の明るさは、標準とされる明るさを０とし、所定の明るさ分だけ増加するごとに＋１ずつレベルをあげ、逆に減少するごとに−１ずつレベルを下げるとしたものである。
【００３５】
この設定の後は液晶テレビジョン受像機に警告処理をさせる場合も有るが、さらにユーザ（親）が番組を確認して警告番組を指定する場合もある。
例えば、警告条件設定画面３１で設定を行った場合、マイコン１４は、メモリ２２から警告番組カテゴリ「アニメ」を取得して、文字認識・電子番組表処理部６に番組の抽出をさせる。文字認識・電子番組表処理部６は、デコーダ２からＥＰＧ（Electoric Program Guide）のデータを取得して、「アニメ」の番組を文字認識によって検索し抽出する。マイコン１４は、その抽出データを液晶表示パネル１１に表示する（図４の表示画面３２参照）。その中からユーザ（親）が、リモコン１２を用いて警告番組をさらに選択してもよいし、抽出された番組をすべて警告番組としてもよい。マイコン１４は、警告番組のデータ（チャンネルと放映時間）を、警告映像特定条件としてメモリ２２に記憶する。
【００３６】
また、ユーザ（親）が、図４の表示画面３３に示すように、リモコン１２を用いて液晶表示パネル１１にその日の番組表を表示して、その中から警告番組を指定してもよい。そして、マイコン１４は、上記同様に警告番組のデータを警告映像特定条件としてメモリ２２に記憶する。
【００３７】
尚、この設定条件は、子供等が簡単に設定を変えたり、消去できないように、パスワードを設定して、入力パスワードが設定パスワードと一致しなければ、条件の消去、変更ができないようになっている。
【００３８】
図５（ａ）に示すように、ユーザ（子供）がリモコン１２を用いて見たいチャンネルを指定して、視聴を開始する（ステップＳ２）。チャンネル指定は、リモコン１２からチャンネル数字を入力しても良いし、ＥＰＧ情報を画面上に表示させて所望の番組を指定してもよい。
【００３９】
マイコン１４は、時間カウンタＡ／Ｂ／Ｃをそれぞれリセットする（ステップＳ３）。そして、マイコン１４は、メモリ２２に記憶した警告映像特定条件に基づいて、視聴番組が警告対象の番組か否かを確認する（ステップＳ４）。警告映像特定条件が「アニメ」であれば、マイコン１４は、文字認識・電子番組表処理部６にＥＰＧ情報から視聴中の番組が「アニメ」で有るかを検索させ、検索結果が「アニメ」で有るかを確認する。あるいは警告映像特定条件がチャンネルと放映時刻の番組情報である場合は、視聴中の番組がその番組情報に一致するかを確認する。
【００４０】
警告対象番組であれば、マイコン１４は、光センサ１８の検出値から部屋の明るさを求めて、メモリ２２に記憶されている警告状態条件の明るさ条件と比較して部屋が暗いか否かを判断する（ステップＳ５）。この時の検出値が警告状態条件値より小さい場合、部屋が暗いと判断し、時間カウンタＡのカウントを開始する（ステップＳ６）。光センサ１８の検出値が警告状態条件値以上であれば部屋は明るいとして時間カウンタＡをリセットする（ステップＳ７）。
【００４１】
次に、マイコン１４は、液晶テレビジョン受信機と視聴者の距離が近いかを判断する（ステップＳ８）。距離センサ１７の検出値が所定値より小さい場合に距離が近いと判断し、時間カウンタＢのカウントを開始する。距離センサ１７の検出値が所定値以上の場合には液晶テレビジョン受信機と視聴者の距離が十分確保されていると判断し、時間カウンタＢをリセットする（ステップＳ１０）。
【００４２】
マイコン１４は、時間カウンタＡ，Ｂの値が設定時間ａ，ｂを超えたかを判断し（ステップＳ１１）、超えない場合はステップＳ３に戻り、超えた場合はステップＳ１２に進む。ここでは、設定時間ａ，ｂは、第１警告時間「１０秒」である。この値は任意であり、また、設定時間ａ，ｂの時間は異なっていてもよいし、同じでもよい。
【００４３】
マイコン１４は、時間カウンタＡ，Ｂの値が設定時間ａ，ｂを超えない場合にはステップＳ３に戻り、部屋が暗かったり、距離が近かったりしたときは、時間カウンタＡ，Ｂはそのままカウントを続け、部屋が明るくなったり、距離が遠くなった場合は、時間カウンタＡ，Ｂをリセットする。
【００４４】
こうして、部屋の明るさや視聴者までの距離が不適切な状態が続いて、時間カウンタＡ，Ｂの値が設定時間ａ，ｂを超えた場合は、例えば図５（ｂ）に示すように、初めて警告表示に至る（ステップＳ１２）。この警告表示は、第１警告時間後（設定時間ａ，ｂ）に、マイコン１４がメモリ２２から警告表示の画像を読み出し、ＯＳＤ処理部１０によりＯＳＤ画像を生成して液晶コントローラ８、液晶ドライバ９を介して液晶表示パネル１１にＯＳＤ表示する。さらにステップＳ１２で、時間カウンタＣのカウントを始める。ここで、時間カウンタＣは第２警告時間の１分をカウントしている。
【００４５】
ユーザは、常にその場にとどまっているわけでもなく、液晶テレビジョン受像機近づく場合もあるし、別の人間が液晶テレビ受像機のそばを通過する場合もある。また、部屋の明るさも、例えば、カーテンを引くなどして一瞬暗くなる場合もある。そのたびごとに、警告表示されては、ユーザにとっても不快であるので、所定時間だけ不適切な状態が続いたとき、初めて警告表示する。
【００４６】
マイコン１４は、一定時間経過後（ステップＳ１３）、再び視聴距離と部屋の明るさが不適切か否かを、メモリ２２に記憶した警告状態条件に基づいて、距離センサ１７、光センサ１８の検出結果をもとに判断する（ステップＳ１４）。そして、マイコン１４は、視聴距離と部屋の明るさが不適切な場合は、ステップＳ１５に進み、図５（ｃ）に示すように、さらに映像サイズを縮小し、警告表示を拡大する。ステップＳ１４において、視聴距離や部屋の明るさが適切な場合は、履歴をメモリ２２に保存して、ステップＳ３に戻る。
【００４７】
マイコン１４は、時間カウンタＣが第２警告時間１分を超えたかを判断する（ステップＳ１７）。第２警告時間１分に至らなければ、ステップＳ１４に戻る。そして、視聴距離と部屋の明るさが不適切な場合は、ステップＳ１５に進み、図５（ｃ）に示す警告表示を繰り返す。この場合、第２警告時間までの残り時間と、その時間を超えた場合のペナルティ「電源をスタンバイ状態にする」を表示する。
【００４８】
時間カウンタＣが第２警告時間を超えていれば、マイコン１４は履歴をメモリ２２に保存し（ステップＳ１８）、電源制御部２０に電源２１をスタンバイ状態にさせる（ステップＳ１９）。そのため、液晶表示パネル１１の表示は消され、バックライト光源１６が消灯状態となる（図５（ｄ）参照）。
【００４９】
このように履歴を保存することによって、どのような警告がされて、どのような処理がされたか分かることによって、視聴状態がどうであったか後から確認できる。また、警告しても改善されなければ、ペナルティ機能として表示を一定時間消すなどして、警告の実効性を向上させる。
【００５０】
一定時間経過後、マイコン１４は電源２１をオンし（ステップＳ２０）、時間カウンタＣをリセットし（ステップＳ２１）、再びステップＳ１２にも戻る。
【００５１】
＜第２実施形態＞
第２実施形態は、映像信号に警告表示が組み込まれている場合を想定している。この場合の警告処理は、前述の図２及び図３に示した手順とほぼ同じなので、これを用いて説明する。
【００５２】
第２実施形態の場合は、メモリ２２には、あらかじめ映像に組み込まれている可能性のある警告内容を認識するための警告認識情報が記憶されている。
警告処理は、ステップＳ１〜Ｓ３まで上記と同一処理である。
【００５３】
図６に示すように、「お子さまへ  テレビをみるときはへやを明るくしてできるだけはなれてみてください」と映像自体に警告が表示されたとする。文字認識・電子番組表処理部６が表示された警告を文字認識する。ステップＳ４の処理が、第２実施形態では異なり、マイコン１４は、メモリ２２に記憶されている警告認識情報に基づいて、文字認識・電子番組表処理部６が認識した文字内容が警告であるか否かを確認する。ステップＳ５以降の処理は同じなので説明は省略する。
【００５４】
映像信号に警告表示が組み込まれている場合は、ユーザの液晶表示パネルからの距離や部屋の明るさなどの状態を検出して不適切であれば警告処理を行うことになるので、ユーザは適切な状態で液晶テレビジョン受像機を視聴しようとする。また、映像に警告表示が組み込まれていなければ警告処理がされないので、必要のない警告表示も減少する。
【００５５】
尚、本発明は、上記した実施の形態に限定されるものではなく、本発明の要旨を逸脱しない範囲内において種々変更を加え得ることは勿論である。
【図面の簡単な説明】
【００５６】
【図１】本発明に係る表示装置である液晶テレビジョン受信機の一実施形態を示すブロック図である。
【図２】液晶テレビジョン受信機の第１実施形態の警告処理の手順を示すフローチャートである。
【図３】図２から続く液晶テレビジョン受信機の第１実施形態の警告処理の手順を示すフローチャートである。
【図４】液晶テレビジョン受信機の第１実施形態の警告映像を特定する処理を示す説明図である。
【図５】第１実施形態の警告処理の画面を示す説明図である。
【図６】第２実施形態の映像に組み込まれた警告表示を示す画面図である。
【符号の説明】
【００５７】
１  チューナ・ＡＶ−ＳＷ
２  デコーダ
３  音声信号処理部
４  アンプ
５  スピーカ
６  文字認識・電子番組表処理部
７  映像信号処理部
８  液晶コントローラ
９  液晶ドライバ
１０  ＯＳＤ処理部
１１  液晶表示パネル
１２  リモコン
１３  リモコン受光部
１４  マイコン
１６  バックライト光源
１７  距離センサ
１８  光センサ
２０  電源制御部
２１  電源
２２  メモリ
【図１】
2007281656.tif 000003
【図２】
2007281656.tif 000004
【図３】
2007281656.tif 000005
【図４】
2007281656.tif 000006
【図５】
2007281656.tif 000007
【図６】
2007281656.tif 000008